(57)【要約】      （修正有）【課題】  ビル等の屋内天井のコンクリートに埋設したインサートナットに螺着した仮ボルトを、足場を組むことなく容易かつ安全に取り外す装置を提供すること。【解決手段】  長竿１１の先端に設けたボルト回し工具と、該ボルト回し工具の上側に着脱自在に固定した磁石手段とを具備し、該磁石手段は、ドーナツ型フィライト系磁石２３の中心軸と該ボルト回し工具の挿入穴の中心軸を一致するように配置し、かつ、該磁石の磁力線が上方に放射するように構成し、該ネジ棒の下端を挿入容易にするガイド機能及び外したネジ棒の落下を防止する落下防止機能を発揮するように構成した。  【選択図】  図１
2006224207.tif 000002
【特許請求の範囲】
【請求項１】
ビル等の屋内天井のコンクリートに埋設したインサートナットに螺着したネジ棒を取り外す装置において、長竿の先端に設けたボルト回し工具と、該ボルト回し工具の上側に着脱自在に固定した磁石手段とを具備し、該磁石手段は、該ボルト回し工具の挿入穴に該ネジ棒の下端を挿入容易にするガイド機能及び外したネジ棒の落下を防止する落下防止機能を発揮するように構成したことを特徴とするインサートナットに螺着したネジ棒取り外し装置。
【請求項２】
前記磁石手段は、上部筒状体と下部筒状体とからなり、該下部筒状体は前記ネジ回し工具に着脱自在に固定すると共に、該上部筒状体は、その内側にドーナツ型磁石の穴の中心線と前記ボルト回し工具のネジ棒挿入穴の中心線が一致するようにして固着し、該上部筒状体の上側方向に該ドーナツ型磁石の磁力線が放射するように構成したことを特徴とする請求項１に記載のインサートナットに螺着したネジ棒取り外し装置。
【請求項３】
前記ドーナツ型磁石はフィライト系磁石であることを特徴とする請求項２に記載のインサートナットに螺着したネジ棒取り外し装置。
【請求項４】
前記ドーナツ型磁石はドーナツ型鉄心の外周にコイルを巻いて形成した電磁石であることを特徴とする請求項２に記載のインサートナットに螺着したネジ棒取り外し装置。
【請求項５】
前記上部筒状体は鋼製材料で構成し、該筒状体の上側周壁が該ドーナツ型磁石の上表面から突出するように構成したことを特徴とする請求項２〜請求項４の何れか１に記載のインサートナットに螺着したネジ棒取り外し装置。  
【請求項６】
前記磁石手段は、前記ネジ棒を前記インサートナットから外した状態で前記長竿の先端を下向きにした場合でも該ネジ棒を保持できるように該磁石を構成したことを特徴とする請求項１〜請求項５の何れか１に記載のインサートナットに螺着したネジ棒取り外し装置。
【請求項７】
前記長竿は伸縮可能にしたことを特徴とする請求項１〜請求項６の何れか１に記載のインサートナットに螺着したネジ棒取り外し装置。    
【発明の詳細な説明】
【技術分野】
【０００１】
この発明は、ビル等の建物の屋内天井に配管等を取り付ける工事の技術分野に関わる。更に具体的には、コンクリート製の天井にインサートナットを埋設した場合のインサートナットの保護に関し、保護用に螺着したネジ棒を取り外す装置の技術分野に属する。
【背景技術】
【０００２】
従来からビル等の建物の屋内天井に配管等を取り付ける工事には、例えば特許文献１に開示されているように、コンクリート製の天井にインサートナットを埋設し、そのインサートナットに配管等を支持、固定する吊具が取り付けられる。図４はこの状態を示したものである。図４において、インサートナット５１は天井のコンクリート５２に埋設されている。コンクリート５２が凝結した後、適宜の時に配管等を支持、固定するための吊具５３の上端ネジ部５３ａがインサートナットの雌ネジ部に螺合して固定される。中央部５３ｂは棒材部で、下端部５３ｃにパイプ５５を支持固定するための固定金具５４が取り付けられている。
【特許文献１】公開特許公報、特開平０８−２７０８３８号（配線・配管用支持具）
【０００３】
しかし、天井コンクリートの強度補強のために鉄骨梁が設けられ、その脇にインサートナットを設ける場合は次のような問題が生じる。即ち、図５に示すように、天井コンクリート５２の下側に鉄骨梁６０が設けられ、その近くにインサートナット５１が埋設される場合がある。なお、図５のケースでは、鉄骨梁６０は、天井コンクリート５２の下側表面にデッキプレート６１を設けて、その下側表面に設けられている。なお、デッキプレート６１のインサートナット５１部分は穴（図示省略）が開いており、インサートナット５１のネジ穴が露出している。鉄骨梁６０は取り付け後に、その表面に断熱材（例えば、岩綿材）６２の吹き付けを行う。従って、そのまま吹きつけ作業を行うとインサートナット５１の表面を断熱材が覆い、インサートナット５１の所在が分からなくなる。そのうえ、インサートナット５１のネジ穴に断熱材６２の一部が入り込んで吊具５３の取り付けができなくなる。
【０００４】
この問題を解決するために、従来は、コンクリートの打設前に仮ボルトを蝶着したインサートナットをデッキプレート上に取り付けるか、又は断熱材６２の吹き付け作業前に仮ボルト６４をインサートナット５１のネジ穴に螺着しておき、吹き付け作業後、吊具５３の取り付け前に、仮ボルト６４を取り外す必要が生じた。従来は、仮ボルト６４の取り外し作業を行うためにローリングタワーを使用したり、足場を組んだりしてその上に登り、竿６６の先端にボルト回し工具６７を設けた装置６５を使用して仮ボルト６４の取り外し作業を行っていた。なお、仮ボルト６４は両端にネジを切ったボルト（両ネジボルト）或いは全ネジボルトを使用していた。
【０００５】
図６は、従来装置６５の詳細な説明をするための組立て分解図である。ボルト回し工具６７は、ネジ部を着脱自在に狭持してボルトを廻す工具である。ボルト回し工具６７の挿入穴６７ｂにネジボルトを挿入して左向きに回転すれば螺合したネジボルトが外せるようになっている。なお、この工具自体については特許文献２に説明が開示されており、又商品化され、市販されているので詳細な説明は省略する。ボルト回し工具６７の固定支持部６７ａを竿６６の先端に回転しないように固定する。竿６６は、例えば、電線管を使用し、先端に固定支持部６７ａと嵌合する穴６６ｂを設けたブロック６６ａを接着剤等で固定する。
【特許文献２】公開特許公報、特開２００３−９４３４８号（ボルト用ソケット）
【発明の開示】
【発明が解決しようとする課題】
【０００６】
以上に説明したように、上記従来装置では足場などを組むか、十分に長い長竿を使用する必要があった。足場を組む場合にはそれだけ煩雑な作業が増えるという問題があった。また、長竿を使用する場合には、ボルト回し工具６７のボルト挿入穴にインサートナットに螺着した仮ボルト（以下、「ネジ棒」という）の下端を正しく接近させ、挿入する作業が困難になるという問題が生じる。さらに、インサートナットからネジ棒を外したときにネジ棒が落下し、事故を起こす危険性もある。本発明は上記の問題を解決したネジ棒取り外し装置を提供することを課題としている。
【課題を解決するための手段】
【０００７】
上記課題を解決するために本発明は以下の手段を採用している。即ち、
請求項１記載の発明は、ビル等の屋内天井のコンクリートに埋設したインサートナットに螺着したネジ棒を取り外す装置において、長竿の先端に設けたボルト回し工具と、該ボルト回し工具の上側に着脱自在に固定した磁石手段とを具備し、該磁石手段は、該ボルト回し工具の挿入穴に該ネジ棒の下端を挿入容易にするガイド機能及び外したネジ棒の落下を防止する落下防止機能を発揮するように構成したことを特徴としている。
【０００８】
請求項２に記載の発明は、請求項１の発明において、前記磁石手段は、上部筒状体と下部筒状体とからなり、該下部筒状体は前記ボルト回し工具に着脱自在に固定すると共に、該上部筒状体は、その内側にドーナツ型磁石の穴の中心線と前記ネジ回し工具のネジ棒挿入穴の中心線が一致するようにして固着し、該上部筒状体の上側方向に該ドーナツ型磁石の磁力線が放射するように構成したことを特徴としている。
即ち、請求項２に記載の発明はドーナツ型磁石の磁力線によって、インサートナットに螺着しているネジ棒の下端部に前記ネジ回し工具のネジ棒挿入穴をガイドする機能を持たせたことを主な特徴の１つとしている。
【０００９】
請求項３記載の発明は、請求項２に記載の発明において、前記ドーナツ型磁石はフィライト系磁石で構成したことを特徴としている。
また、請求項４記載の発明は、請求項２に記載の発明において、前記ドーナツ型磁石はドーナツ型鉄心の外周にコイルを巻いて形成した電磁石で構成したことを特徴としている。
【００１０】
請求項５記載の発明は、請求項１〜請求項４に記載の発明において、前記上部筒状体は鋼製材料で構成し、該筒状体の上側周壁が該ドーナツ型磁石の上表面から突出するように構成したことを特徴としている。
即ち、  請求項５記載の発明は、ドーナツ型磁石に吸着されたネジ棒の下端を挿入穴にガイドする機能を持たせ、同時に、筒状体上側周壁が該ドーナツ型磁石の上表面から突出した部分で天井デッキプレートと磁石が吸着する力を弱め、ネジ棒とのみ強く吸着するようにしたことを主な特徴の１つとしている。
【００１１】
請求項６記載の発明は、請求項１〜請求項５に記載の発明において、前記磁石手段は、前記ネジ棒を前記インサートナットから外した状態で前記長竿の先端を下向きにした場合でも該ネジ棒を保持できるように該磁石を構成したことを特徴としている。
【００１２】
請求項７記載の発明は、請求項１〜請求項６に記載の発明において、前記長竿は伸縮可能にしたことを特徴としている。
【発明の効果】
【００１３】
本発明によれば足場等を組む必要もなくなり、インサートナットに螺着したネジ棒取り外し作業が容易になること。さらに、取り外したネジ棒の落下を防止できるために作業の安全性を向上できるという効果が得られる。
【発明を実施するための最良の形態】
【００１４】
図１は本発明の実施形態の全体図を示す。図２は実施形態の主要部の断面を示す。図３は実施形態の組立て分解図を示す。なお、説明を簡明にするために部品番号を統一している。図１において、長竿１１は伸縮自在に構成されている。例えば、長竿１１は２重管からなり、内側細管１２は下端部が外側太管１３の上端部に挿入し、長さ方向に摺動可能に構成されている。また、外側太管１３の上端部は長さ方向にスリット状の切れ目が設けられていると共に上側表面にネジが切られている。固定リング１４は内側にネジが切られ、外側太管１３の上端部のネジと螺合して内側細管１２は下端部を自在に固定できるように構成されている。外側太管１３の下端部は持ちやすいように把手部１５が設けられている。さらに、長竿１１の先端部（内側細管１２の先端部）にはネジ棒取り外し工具１６が固着されている。
【００１５】
ネジ棒取り外し工具１６は、図２、図３に示すように、ボルト回し工具６７を２段筒状ケース２０の下部筒状体２０ａの内側に挿入し、蝶ネジ２１を利用して着脱自在に固定している。上部筒状体２０ｂの内側に、ドーナツ型フィライト系磁石２３の穴２３ａの中心線とボルト回し工具６７の挿入穴６７ｂの中心線と一致するように配置し、接着剤等で上部筒状体２０ｂに固着している。  なお、ドーナツ型フィライト系磁石２３は上側面がＮ極（又はＳ極）となるように磁化されており、上側方向に磁力線２５が放射されている。また、ドーナツ型フィライト系磁石２３の穴２３ａの上端に丸み、傾斜を設けておくとネジ棒６４の挿入が容易になる。さらに、上部筒状体２０ｂの上端周縁部２０ｃはドーナツ型フィライト系磁石２３の上表面より僅か（例えば、２〜５ｍｍ）に突出するように構成する。この突出部は取外し工具１６が天井面デッキプレートには強く吸着せず、天井より突出しているネジ棒６４と強く吸着する効果がある。
【００１６】
本実施形態は以上のように構成されており、以下のように機能する。即ち、ネジ棒６４をインサートナット５１から取り外す場合には、まず長竿１１の長さを適当に調整する。把手部１５を手で支えながら磁石２３の上表面をネジ棒６４の下端に接近させる。ある距離以内に接近すると、磁力線２５の作用によりネジ棒６４が引っ張られ、磁石２３の上表面にネジ棒６４の下端部が吸着される。この状態で長竿１１の先端を左右前後に少し揺さぶるとネジ棒６４の下端が挿入穴６７ｂに挿入される。この状態で、長竿１１を左向きに軸回転させる。最初のうちはネジ棒６４がボルト回し工具６７に固定され、次にネジ棒６４がインサートナット５１から外される。
【００１７】
以上に述べたように、本実施形態によれば、足場等を組む必要もなくなり、インサートナットに螺着したネジ棒取り外し作業が容易になり、さらに、取り外したネジ棒の落下を防止できるために作業の安全性を向上できるという効果が得られる。
なお、フィライト系磁石２３の代わりに、ドーナツ型鉄心の外周にコイルを巻いて形成した電磁石を利用してもよい。
【００１８】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、筒状体２０ａ、２０ｂは円筒の代わりに角状（例えば６角形の筒状）にしてもよい。
【図面の簡単な説明】
【００１９】
【図１】本発明を実施した実施形態の全体図を示す。
【図２】本実施形態の主要部断面を示す。
【図３】本実施形態の主要部の組立分解図を示す。
【図４】従来の配管取り付け装置を示す。
【図５】従来装置の問題点を示す。
【図６】従来装置を示す。
【符号の説明】
【００２０】
１１        長竿
１２        内側細管  
１３        外側太管
１４        固定リング
１６        ネジ棒取り外し工具
２０        ２段筒状ケース
２１        蝶ネジ
２３        ドーナツ型フィライト系磁石
５１        インサートナット  
６４        ネジ棒（仮ボルト）
６７        ボルト回し工具
【図１】
2006224207.tif 000003
【図２】
2006224207.tif 000004
【図３】
2006224207.tif 000005
【図４】
2006224207.tif 000006
【図５】
2006224207.tif 000007
【図６】
2006224207.tif 000008